Podtech/llm-jp-corpus-v4-ja_patent huggingface dataset:
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
入力装置をそれぞれ有する第一のクライアント装置及び第二のクライアント装置と通信接続が可能なサーバ装置において実行されるゲームプログラムであって、
サーバ装置を、
第一のクライアント装置にて操作が可能な第一のプレイヤがゲーム内で所有する所有地において、達成すべき課題を設定する課題設定手段、
第二のプレイヤによる第二のクライアント装置の入力装置への操作指示に応じて、課題設定手段により設定された課題を達成するためのゲームを進行するゲーム進行手段、
ゲーム進行手段によりゲームが進行し、課題設定手段により設定された課題が達成されると、第二のクライアント装置に対応する第二のプレイヤに特典を付与する特典付与手段
として機能させる、ゲームプログラム。
【請求項２】
入力装置をそれぞれ有する第一のクライアント装置及び第二のクライアント装置と、第一のクライアント装置及び第二のクライアント装置と通信接続が可能なサーバ装置とを備えるゲームシステムであって、
第一のクライアント装置又はサーバ装置が、
第一のクライアント装置にて操作が可能な第一のプレイヤがゲーム内で所有する所有地において、達成すべき課題を設定する課題設定手段と、
第二のプレイヤによる第二のクライアント装置の入力装置への操作指示に応じて、課題設定手段により設定された課題を達成するためのゲームを進行するゲーム進行手段と、
ゲーム進行手段によりゲームが進行し、課題設定手段により設定された課題が達成されると、第二のクライアント装置に対応する第二のプレイヤに特典を付与する特典付与手段とを備える、ゲームシステム。
【請求項３】
第一のクライアント装置と通信接続が可能なサーバ装置と通信接続が可能であり、入力装置を有する第二のクライアント装置において実行されるゲームプログラムであって、
第二のクライアント装置を、
第一のクライアント装置にて操作が可能な第一のプレイヤがゲーム内で所有する所有地において、達成すべき課題を設定する課題設定手段、
第二のプレイヤによる第二のクライアント装置の入力装置への操作指示に応じて、課題設定手段により設定された課題を達成するためのゲームを進行するゲーム進行手段、
ゲーム進行手段によりゲームが進行し、課題設定手段により設定された課題が達成されると、第二のクライアント装置に対応する第二のプレイヤに特典を付与する特典付与手段
として機能させる、ゲームプログラム。
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
第１のステージと第２のステージとを有するゲームを実行するゲーム装置であって、
複数種類のゲーム対象から少なくとも一のゲーム対象を選択する選択部と、
前記第１のステージにおいて前記ゲーム対象のパラメータを変更するための所定のゲーム操作に要する遊技価値の量を前記ゲーム対象の種類ごとに示す第１ゲームレートデータを記憶する記憶部に記憶された前記第１ゲームレートデータに基づいて、前記選択部により選択された前記ゲーム対象について前記所定のゲーム操作に要する遊技価値の量を決定する遊技価値決定部と、
前記第２のステージにおいて前記ゲーム対象を使用して所定のゲーム結果となった場合のゲーム報酬量を前記ゲーム対象の種類ごとに示す第２ゲームレートデータを記憶する記憶部に記憶された前記第２ゲームレートデータに基づいて前記選択部により選択された前記ゲーム対象について前記ゲーム報酬量を決定する報酬量決定部と、
前記第１のステージにおいて、前記遊技価値決定部により決定された遊技価値の量を受け付けたことに応じて、前記選択部により選択された前記ゲーム対象のパラメータを変更するパラメータ変更部と、
前記第２のステージにおいて、前記パラメータ変更部によりパラメータの変更がされた前記ゲーム対象を使用して前記所定のゲーム結果となった場合に前記報酬量決定部により決定されたゲーム報酬量を付与する報酬付与部と、
を備え、
前記選択部による前記ゲーム対象の選択に要する遊技価値の量は、前記ゲーム対象の種類間で互いに異なる、
るゲーム装置。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行い、該抽選の結果に基づいて利益を付与する遊技機であって、
当該遊技機の前面側を構成する前扉は、前方に膨出した膨出箇所と、膨出箇所よりも前方に膨出していない非膨出箇所とを有する前カバー部を有し、
前記前カバー部における前記非膨出箇所には、前記前扉を開放するための鍵が挿入される鍵穴部が設けられており、
さらに、前記前カバー部には、前記膨出箇所から前記鍵穴部の周りを含んだ前記非膨出箇所にかけて連続した意匠からなる特別意匠部が設けられる
ことを特徴とする遊技機。
【手続補正２】
【補正対象書類名】明細書
【補正対象項目名】０００３
【補正方法】変更
【補正の内容】
【０００３】
しかしながら、従来の遊技機と同様の構成では斬新さに欠け、遊技興趣の更なる向上が困難であった。
【手続補正３】
【補正対象書類名】明細書
【補正対象項目名】０００４
【補正方法】変更
【補正の内容】
【０００４】
そこで、本発明は、新たな装飾態様の遊技機を提供することを目的とする。
【手続補正４】
【補正対象書類名】明細書
【補正対象項目名】０００５
【補正方法】変更
【補正の内容】
【０００５】
上述した目的を達成するため、本発明は、
所定条件の成立に基づいて抽選を行い、該抽選の結果に基づいて利益を付与する遊技機であって、
当該遊技機の前面側を構成する前扉は、前方に膨出した膨出箇所と、膨出箇所よりも前方に膨出していない非膨出箇所とを有する前カバー部（演出ユニットカバー３００）を有し、
前記前カバー部における前記非膨出箇所には、前記前扉を開放するための鍵が挿入される鍵穴部（シリンダ挿通口３０３）が設けられており、
さらに、前記前カバー部には、前記膨出箇所から前記鍵穴部の周りを含んだ前記非膨出箇所にかけて連続した意匠からなる特別意匠部（演出ユニットカバー３００の装飾部３０２）が設けられる
ことを特徴とする（段落０１５７、図１９等参照）。
また、本発明とは別の発明として、以下の手段を参考として開示する。
手段１：遊技機において、
「円形の外周面から中心へ向かって遊技媒体の半径よりも浅く且つ遊技媒体を収容可能な深さで遊技媒体の外周に沿う円弧で凹んでおり周方向に一定間隔で列設された複数の収容部を有している回転可能な回転体と、
該回転体の回転中心へ向かうように上方から略垂直に前記外周面の上端付近の高さまで延びており遊技媒体が流通可能な導入部、該導入部の下端から前記回転体の回転方向の一方へ該回転体の中心の高さまで、前記収容部の最も凹んだ部位との間では遊技媒体の外径よりも広く前記外周面との間では遊技媒体の外径よりも狭い間隔で前記回転体を中心として円弧状に延びている旋回部、及び該旋回部の下端から下方へ略垂直に延びており遊技媒体が流通可能な放出部、を有している流通通路と
を具備している」ものであることを特徴とする。
【手続補正５】
【補正対象書類名】明細書
【補正対象項目名】００５２
【補正方法】変更
【補正の内容】
【００５２】
本発明によれば、新たな装飾態様の遊技機を提供することができる。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
黒ショウガ成分を含有する粒子を芯材として、その表面を、ナタネ油あるいはパーム油を含むコート剤にて被覆したことを特徴とする黒ショウガ成分に含まれるポリフェノール類の体内への吸収性が高められた組成物。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
長さ１０〜３０の結合したヌクレオシドからなる修飾オリゴヌクレオチドを含む化合物であって、
該修飾オリゴヌクレオチドは、配列番号２の核酸塩基配列を有する成長ホルモン受容体核酸の核酸塩基１５３００１〜１５３０２６、１５５５９１〜１５５６１６、１５９２１６〜１５９２６７、７２１０７〜７２２４１、２１３４２５〜２１３４４０、又は２４８２２３〜２４８３６３の等長の部分に対して１００％相補的である少なくとも８の連続する核酸塩基の部分を含む核酸塩基配列を有し、
該修飾オリゴヌクレオチドの核酸塩基配列は、配列番号２に対して少なくとも９０％相補的である、
上記化合物。
【請求項２】
修飾オリゴヌクレオチドが、
（ｉ）配列番号２の核酸塩基配列を有する成長ホルモン受容体核酸の核酸塩基１５３００４〜１５３０１９、１５５５９４〜１５５６１３、１５５５９７〜１５５６１２、１５９２５２〜１５９２６７、７２１０７〜７２１２６、２１３４２５〜２１３４４０、又は２４８２３３〜２４８２４８内において相補的である；又は
（ｉｉ）配列番号２に対して１００％相補的である、
請求項１に記載の化合物。
【請求項３】
修飾オリゴヌクレオチドが、
（ｉ）配列番号２の核酸塩基配列を有する成長ホルモン受容体核酸の核酸塩基１５３００１〜１５３０２６内において相補的である；又は
（ｉｉ）配列番号２の核酸塩基配列を有する成長ホルモン受容体核酸の核酸塩基１５３００４〜１５３０１９内において相補的である、
請求項１又は２に記載の化合物。
【請求項４】
修飾オリゴヌクレオチドが、配列番号２１２２、９１８、２１２７、１８００、４７９、１９０４、又は２１９４に記載される配列を含む核酸塩基配列を有し、場合により、該修飾オリゴヌクレオチドが、１６の結合したヌクレオシドからなり、配列番号２１２２に記載される配列からなる核酸塩基配列を有する、請求項１〜３のいずれか１項に記載の化合物。
【請求項５】
修飾オリゴヌクレオチドが少なくとも１種の修飾糖を含み、該少なくとも１種の修飾糖が、場合により、２’−Ｏ−メトキシエチル基を含む、又は、４’−ＣＨ（ＣＨ３）−Ｏ−２’基を含む二環式糖又は４’−ＣＨ２−Ｏ−２’基若しくは４’−（ＣＨ２）２−Ｏ−２’基を含む二環式糖のような二環式糖である、請求項１〜４のいずれか１項に記載の化合物。
【請求項６】
修飾オリゴヌクレオチドが少なくとも１種の修飾ヌクレオシド間結合を含み、該修飾ヌクレオシド間結合が場合によりホスホロチオ酸ヌクレオシド間結合である、請求項１〜５のいずれか１項に記載の化合物。
【請求項７】
修飾オリゴヌクレオチドが少なくとも１種の修飾核酸塩基を含み、該修飾核酸塩基が場合により５−メチルシトシンである、請求項１〜６のいずれか１項に記載の化合物。
【請求項８】
修飾オリゴヌクレオチドが、
結合したデオキシヌクレオシドからなるギャップセグメントと、
結合したヌクレオシドからなる５’ウィングセグメントと、
結合したヌクレオシドからなる３’ウィングセグメントと
を含み、
該ギャップセグメントが５’ウィングセグメントと３’ウィングセグメントとの間に位置し、各ウィングセグメントの各ヌクレオシドが修飾糖を含む、請求項１〜７のいずれか１項に記載の化合物。
【請求項９】
修飾オリゴヌクレオチドが、配列番号２１２２に記載される配列からなる核酸塩基配列を有する１６の結合したヌクレオシドからなり、該修飾オリゴヌクレオチドが、
１０の結合したデオキシヌクレオシドからなるギャップセグメントと、
３の結合したヌクレオシドからなる５’ウィングセグメントと、
３の結合したヌクレオシドからなる３’ウィングセグメントと
を含み、
該ギャップセグメントが５’ウィングセグメントと３’ウィングセグメントとの間に位置し、各ウィングセグメントの各ヌクレオシドが２’−Ｏ−メトキシエチル糖又は拘束エチル糖を含み、各ヌクレオシド間結合がホスホロチオ酸結合である、請求項１〜８のいずれか１項に記載の化合物。
【請求項１０】
前記化合物が一本鎖である、請求項１〜９のいずれか１項に記載の化合物。
【請求項１１】
請求項１〜１０のいずれか１項に記載の化合物又はその塩、及び少なくとも１種の薬学的に許容される担体又は希釈剤を含む、医薬組成物。
【請求項１２】
治療用である、請求項１〜１０のいずれか１項に記載の化合物を含む医薬組成物、又は請求項１１に記載の医薬組成物。
【請求項１３】
ヒトにおける過剰な成長ホルモンに伴う疾患の治療用又は予防用であり、該成長ホルモンに伴う疾患が場合により先端巨大症である、請求項１２に記載の医薬組成物。
【請求項１４】
先端巨大症の治療がＩＧＦ−１レベルを低減する、請求項１３に記載の医薬組成物。
【請求項１５】
ヒトにおける成長ホルモン受容体（ＧＨＲ）レベルの低減用である、請求項１〜１１のいずれか１項に記載の化合物又は医薬組成物であって、治療上有効な量の化合物又は組成物をヒトに投与し、それによってヒトにおけるＧＨＲレベルを低減することを含み、場合により該ヒトが先端巨大症のような過剰な成長ホルモンに伴う疾患を有する、上記化合物又は組成物。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
人工細胞死ポリペプチドを含むTリンパ球であって、該人工細胞死ポリペプチドが、B細胞活性化因子(BAFF)エピトープ又はミモトープを含む細胞外ドメインと、膜貫通ドメインと、アポトーシス誘導ドメインを含む細胞内ドメインとを含む膜貫通タンパク質であり、該アポトーシス誘導ドメインが、カスパーゼ3、カスパーゼ8又はカスパーゼ9であり、該人工細胞死ポリペプチドが、該BAFFエピトープ又はミモトープに結合する抗BAFF抗体を用いて二量体化可能であり、かつ、該抗体が該人工細胞死ポリペプチドを二量体化させたとき、アポトーシス誘導シグナルが該Tリンパ球で生成する、前記Tリンパ球。
【請求項２】
前記抗体が、任意の用途について米国食品医薬品局による承認を受けている、請求項1記載のTリンパ球。
【請求項３】
前記抗体がベリムマブである、請求項1記載のTリンパ球。
【請求項４】
前記細胞外ドメインがBAFFエピトープを含む、請求項1〜3のいずれか１項記載のTリンパ球。
【請求項５】
腫瘍細胞上の抗原を認識するキメラ抗原受容体(CAR)をさらに含む、請求項1〜4のいずれか１項記載のTリンパ球。
【請求項６】
前記腫瘍細胞が固形腫瘍の細胞である、請求項5記載のTリンパ球。
【請求項７】
前記腫瘍細胞が血液癌の細胞である、請求項5記載のTリンパ球。
【請求項８】
前記抗原が、Her2、前立腺幹細胞抗原(PSCA)、α-フェトタンパク質(AFP)、癌胎児性抗原(CEA)、癌抗原-125(CA-125)、CA19-9、カルレチニン、MUC-1、上皮膜タンパク質(EMA)、上皮腫瘍抗原(ETA)、チロシナーゼ、メラノーマ関連抗原(MAGE)、CD34、CD45、CD99、CD117、クロモグラニン、サイトケラチン、デスミン、グリア線維性酸性タンパク質(GFAP)、肉眼的嚢胞性疾患液タンパク質(GCDFP-15)、HMB-45抗原、タンパク質メラン-A(Tリンパ球によって認識されるメラノーマ抗原; MART-1)、myo-D1、筋特異的アクチン(MSA)、ニューロフィラメント、ニューロン特異的エノラーゼ(NSE)、胎盤アルカリホスファターゼ、シナプトフィシス(synaptophysis)、チログロブリン、甲状腺転写因子-1、又は二量体形態のピルビン酸キナーゼアイソザイムM2型(腫瘍M2-PK)である、請求項5〜7のいずれか１項記載のTリンパ球。
【請求項９】
B細胞活性化因子(BAFF)エピトープ又はミモトープに結合する、ある量の抗BAFF抗体を含む、Tリンパ球を死滅させるための医薬組成物であって、該Tリンパ球が、複数の人工細胞死ポリペプチドを含み、該人工細胞死ポリペプチドの各々が、前記BAFFエピトープ又はミモトープを含む細胞外ドメインと、膜貫通ドメインと、アポトーシス誘導ドメインを含む細胞内ドメインとを含む膜貫通タンパク質であり、該アポトーシス誘導ドメインが、カスパーゼ3、カスパーゼ8又はカスパーゼ9であり、かつ、該抗BAFF抗体の量が、該複数の人工細胞死ポリペプチドを二量体化させ、該Tリンパ球を死滅させるのに十分な集合的アポトーシス誘導シグナルを生成させるのに十分である、前記医薬組成物。
【請求項１０】
前記抗体が、任意の用途について米国食品医薬品局による承認を受けている、請求項9記載の医薬組成物。
【請求項１１】
前記抗体がベリムマブである、請求項9記載の医薬組成物。
【請求項１２】
前記細胞外ドメインがBAFFエピトープを含む、請求項9〜11のいずれか１項記載の医薬組成物。
【請求項１３】
前記Tリンパ球が、腫瘍細胞上の抗原を認識するキメラ抗原受容体(CAR)をさらに含む、請求項9〜12のいずれか１項記載の医薬組成物。
【請求項１４】
前記抗原が、Her2、前立腺幹細胞抗原(PSCA)、α-フェトタンパク質(AFP)、癌胎児性抗原(CEA)、癌抗原-125(CA-125)、CA19-9、カルレチニン、MUC-1、上皮膜タンパク質(EMA)、上皮腫瘍抗原(ETA)、チロシナーゼ、メラノーマ関連抗原(MAGE)、CD34、CD45、CD99、CD117、クロモグラニン、サイトケラチン、デスミン、グリア線維性酸性タンパク質(GFAP)、肉眼的嚢胞性疾患液タンパク質(GCDFP-15)、HMB-45抗原、タンパク質メラン-A(Tリンパ球によって認識されるメラノーマ抗原; MART-1)、myo-D1、筋特異的アクチン(MSA)、ニューロフィラメント、ニューロン特異的エノラーゼ(NSE)、胎盤アルカリホスファターゼ、シナプトフィシス(synaptophysis)、チログロブリン、甲状腺転写因子-1、又は二量体形態のピルビン酸キナーゼアイソザイムM2型(腫瘍M2-PK)である、請求項9〜13のいずれか１項記載の医薬組成物。
【請求項１５】
前記Tリンパ球が投与された個体において、
該Tリンパ球の投与が該Tリンパ球を受容する患者で何らかの望ましくないもしくは有害な効果をもたらす場合に、又は、
該患者における該Tリンパ球の存在がもはや必要でない場合に、
該Tリンパ球を死滅させるためのものであり、
該Tリンパ球を死滅させることが、該個体に対して前記医薬組成物を投与することを含む、請求項9〜13のいずれか１項記載の医薬組成物。
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
対象体における運動誘発性全身性炎症の処置、軽減、最小化または防止のための組成物であって、
（ａ）水溶性トマト抽出物（ここで、該抽出物は、
（１）無色または淡黄色であり；
（２）分子量１０００未満の成分からなり；
（３）（ｉ）グリコシル化フェノール酸またはフェノール酸エステル；
（ｉｉ）グリコシル化フラボノイド；および
（ｉｉｉ）ヌクレオシド
を含有する）；および
（ｂ）食原性硝酸塩（dietary nitrate）の外因性源、または内因性一酸化窒素の前駆物質、ここで、該外因性源が、新鮮な果実または野菜組織（vegetable tissue）の水性抽出物を含み、該果実または野菜が、硝酸塩の最終抽出物濃度が７.５ｇ／Ｌ以上となるように十分に高いレベルの硝酸塩を含有し、該前駆物質が、シトルリン、グルタミンまたはアルギニンより選択される
を含む、組成物。
【請求項２】
スイスチャード、ハナダイコン、ほうれん草、ダイオウ、イチゴおよびレタスからの水溶性抽出物から選択される食原性硝酸塩源を含む、請求項１記載の組成物。
【請求項３】
グリコシル化フェノール酸またはフェノール酸エステルが、カフェオイル−４−Ｏ−キナ酸、カフェオイル−４−Ｏ−グルコシド、クマロイル−４−Ｏ−グリコシド（ｇｌｕｅ／ｇａｌ）およびクマロイル−４−Ｏ−グリコシド（二糖）からなる群から選択されるグリコシル化桂皮酸である、請求項１または２記載の組成物。
【請求項４】
グリコシル化フェノール酸またはフェノール酸エステルが、カフェ酸グルコシド；ｐ−クマル酸ヘキソース／ジヒドロケンフェロールヘキソース；フェルラ酸グリコシド；およびｐ−クマル酸誘導体から選択される、請求項１または２記載の組成物。
【請求項５】
グリコシル化フラボノイドが、ケルセチン−３−Ｏ−グルコシドおよびルチンから選択される、請求項１〜４いずれか１項記載の組成物。
【請求項６】
ヌクレオシドが、ＡＭＰ、ウリジン、アデノシン、グアノシンまたはＧＭＰからなる群から選択される、請求項１〜５いずれか１項記載の組成物。
【請求項７】
医薬品、栄養補給食品、飲料、食品または栄養補助食品の形態の、請求項１〜６いずれか１項記載の組成物。
【請求項８】
ゲル剤、散剤、フードバーまたは分散錠の形態の、請求項７記載の組成物。
【請求項９】
対象体がＶＯ2ｍａｘの約６０％超に相当する強度で運動する、請求項１〜８いずれか１項記載の組成物。
【請求項１０】
硝酸塩２５ｍｇ〜２５０ｍｇを含む、請求項１〜９いずれか１項記載の組成物を含む製剤。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
エアロゾル発生物品のためのマルチセグメント構成要素であって、
可燃性熱源と、
前記可燃性熱源の下流にあるエアロゾル形成基体と、
前記可燃性熱源をその長さの少なくとも一部分に沿って囲むラッパーとを備え、
前記マルチセグメント構成要素が、前記可燃性熱源と前記ラッパーとの間にある膨張性の層であって、膨張性の無機質の接着剤から形成された、前記膨張性の層をさらに含む、マルチセグメント構成要素。
【請求項２】
エアロゾル発生物品のためのマルチセグメント構成要素を製造する方法であって、
可燃性熱源を提供する工程と、
前記可燃性熱源の下流にあるエアロゾル形成基体を提供する工程と、
膨張性の無機質の接着剤をラッパー材料のウェブに塗布する工程と、
前記可燃性熱源をその長さの少なくとも一部分に沿って囲むラッパーを形成するために前記ラッパー材料のウェブを前記可燃性熱源の周りに包む工程とを備え、
前記膨張性の無機質の接着剤は、前記可燃性熱源と前記ラッパーとの間に膨張性の層を形成する、マルチセグメント構成要素を製造する方法。
【請求項３】
前記膨張性の層は、前記可燃性熱源を囲む、請求項１に記載のマルチセグメント構成要素又は請求項２に記載のマルチセグメント構成要素を製造する方法。
【請求項４】
前記膨張性の無機質の接着剤が、周囲圧力で摂氏２０度〜摂氏７００度に加熱された時に、少なくとも約１．５：１、好ましくは約２：１〜約５：１、最も好ましくは約３：１の膨張比を有する、請求項１から３のいずれか１つに記載のマルチセグメント構成要素又は請求項２又は３に記載のマルチセグメント構成要素を製造する方法。
【請求項５】
前記膨張性の層が、少なくとも約０．０１ｍｍ〜約０．１ｍｍ、好ましくは約０．０１ｍｍ〜約０．０４ｍｍ、より好ましくは約０．０２ｍｍの厚さを有する、請求項１、３又は４のいずれか１つに記載のマルチセグメント構成要素又は請求項２から４のいずれか１つに記載のマルチセグメント構成要素を製造する方法。
【請求項６】
前記膨張性の無機質の接着剤が、発泡膨張性の無機質の接着剤である、請求項１及び３から５のいずれか１つに記載のマルチセグメント構成要素又は請求項２から５のいずれか１つに記載のマルチセグメント構成要素を製造する方法。
【請求項７】
前記膨張性の無機質の接着剤が、少なくとも１％の水量、好ましくは約１％〜約７％の水量、より好ましくは約１％〜約５％の水量を含む、請求項１及び３から６のいずれか１つに記載のマルチセグメント構成要素又は請求項２から６のいずれか１つに記載のマルチセグメント構成要素を製造する方法。
【請求項８】
前記膨張性の層が、ケイ酸ナトリウム接着剤で形成される、請求項１及び３から７のいずれか１つに記載のマルチセグメント構成要素又は請求項２から７のいずれか１つに記載のマルチセグメント構成要素を製造する方法。
【請求項９】
前記ケイ酸ナトリウム接着剤が、約２〜約３．５のＳｉＯ2対１のＮａ2Ｏの分子比を持つ、請求項８に記載のマルチセグメント構成要素又は請求項８に記載のマルチセグメント構成要素を製造する方法。
【請求項１０】
前記可燃性熱源が、その外側表面上に少なくとも１つの形成された凹所を有し、前記膨張性の層の前記膨張性の無機質の接着剤が、前記形成された凹所を少なくとも部分的に充填する、請求項１及び３から９のいずれか１つに記載のマルチセグメント構成要素又は請求項２から９のいずれか１つに記載のマルチセグメント構成要素を製造する方法。
【請求項１１】
前記可燃性熱源が、実質的に一定の断面を有する後方部分と、前記後方部分の上流端で終端する少なくとも１つの凹所とを含む、請求項１０に記載のマルチセグメント構成要素又は請求項１０に記載のマルチセグメント構成要素を製造する方法。
【請求項１２】
前記少なくとも１つの形成された凹所の半径方向の外側端が、少なくとも約０．０５ｍｍの曲率半径で湾曲する、請求項１０又は１１に記載のマルチセグメント構成要素又は請求項１０又は１１に記載のマルチセグメント構成要素を製造する方法。
【請求項１３】
前記可燃性熱源の外径が、実質的に前記可燃性熱源の全長に沿って実質的に一定である、請求項１０から１２のいずれか１つに記載のマルチセグメント構成要素又は請求項１０から１２のいずれか１つに記載のマルチセグメント構成要素を製造する方法。
【請求項１４】
前記ラッパーが半径方向に内側にある熱伝導材料の層および半径方向に外側にある熱絶縁材料の層を含む、請求項１及び３から１３のいずれか１つに記載のマルチセグメント構成要素又は請求項２から１３のいずれか１つに記載のマルチセグメント構成要素を製造する方法。
【請求項１５】
請求項１及び３から１４のいずれかに記載のマルチセグメント構成要素を備えたエアロゾル発生物品。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行う特別遊技実行手段と、
所定の表示手段および所定の音声出力手段を含む演出手段を用いて所定の演出を実行する演出実行手段と、を備え、
前記特別遊技実行手段は、前記特別遊技として、第１特別遊技を行うときと、前記第１特別遊技よりも遊技者に有利な第２特別遊技を行うときと、があり、
前記演出実行手段は、前記特別遊技が行われる可能性があることを示唆するセリフを前記音声出力手段から出力するとともに前記セリフの文字画像を前記表示手段に表示する示唆演出を実行することがあり、
前記示唆演出には、前記セリフの文字画像を移動させないで表示する静止画演出と、前記セリフの文字画像を移動させて表示する動画演出と、があり、
前記動画演出における前記セリフには、前記第２特別遊技を示唆するセリフがあり、
前記静止画演出が実行されたときと前記動画演出が実行されたときとで、前記特別遊技が行われる確率が互いに異なる、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技を行う特別遊技実行手段と、所定の表示手段および所定の音声出力手段を含む演出手段を用いて所定の演出を実行する演出実行手段と、を備え、前記特別遊技実行手段は、前記特別遊技として、第１特別遊技を行うときと、前記第１特別遊技よりも遊技者に有利な第２特別遊技を行うときと、があり、前記演出実行手段は、前記特別遊技が行われる可能性があることを示唆するセリフを前記音声出力手段から出力するとともに前記セリフの文字画像を前記表示手段に表示する示唆演出を実行することがあり、前記示唆演出には、前記セリフの文字画像を移動させないで表示する静止画演出と、前記セリフの文字画像を移動させて表示する動画演出と、があり、前記動画演出における前記セリフには、前記第２特別遊技を示唆するセリフがあり、前記静止画演出が実行されたときと前記動画演出が実行されたときとで、前記特別遊技が行われる確率が互いに異なる、ことを特徴としている。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行う特別遊技実行手段と、
所定の表示手段および所定の音声出力手段を含む演出手段を用いて所定の演出を実行する演出実行手段と、を備え、
前記特別遊技実行手段は、前記特別遊技として、第１特別遊技を行うときと、前記第１特別遊技よりも遊技者に有利な第２特別遊技を行うときと、があり、
前記演出実行手段は、
前記特別遊技の実行を示唆するセリフを前記音声出力手段から出力するとともに前記セリフの文字画像を前記表示手段に表示する示唆演出を実行することがあり、
前記示唆演出には、前記第１特別遊技を示唆する第１のセリフを前記音声出力手段から出力するとともに前記第１のセリフの文字画像を動画像で前記表示手段に表示する第１動画演出と、前記第２特別遊技を示唆する第２のセリフを前記音声出力手段から出力するとともに前記第２のセリフの文字画像を動画像で前記表示手段に表示する第２動画演出と、があり、
前記第１動画演出が実行された場合には、前記第１特別遊技が行われ、前記第２動画演出が実行された場合には、前記第２特別遊技が行われる、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技を行う特別遊技実行手段と、所定の表示手段および所定の音声出力手段を含む演出手段を用いて所定の演出を実行する演出実行手段と、を備え、前記特別遊技実行手段は、前記特別遊技として、第１特別遊技を行うときと、前記第１特別遊技よりも遊技者に有利な第２特別遊技を行うときと、があり、前記演出実行手段は、前記特別遊技の実行を示唆するセリフを前記音声出力手段から出力するとともに前記セリフの文字画像を前記表示手段に表示する示唆演出を実行することがあり、前記示唆演出には、前記第１特別遊技を示唆する第１のセリフを前記音声出力手段から出力するとともに前記第１のセリフの文字画像を動画像で前記表示手段に表示する第１動画演出と、前記第２特別遊技を示唆する第２のセリフを前記音声出力手段から出力するとともに前記第２のセリフの文字画像を動画像で前記表示手段に表示する第２動画演出と、があり、前記第１動画演出が実行された場合には、前記第１特別遊技が行われ、前記第２動画演出が実行された場合には、前記第２特別遊技が行われる、ことを特徴としている。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行う特別遊技実行手段と、
所定の音声出力手段および所定の表示手段を含む演出手段を用いて所定の演出を実行する演出実行手段と、を備え、
前記特別遊技実行手段は、前記特別遊技として、第１特別遊技を行うときと、前記第１特別遊技よりも遊技者に有利な第２特別遊技を行うときと、があり、
前記演出実行手段は、
前記特別遊技の実行を示唆するセリフを前記音声出力手段から出力するとともに前記セリフの文字画像を移動させて前記表示手段に表示する示唆演出を実行することがあり、
前記示唆演出には、第１のセリフを前記音声出力手段から出力するとともに前記第１のセリフの文字画像を前記表示手段に表示する第１示唆演出と、前記第１のセリフとは異なる第２のセリフを前記音声出力手段から出力するとともに前記第２のセリフの文字画像を前記表示手段に表示する第２示唆演出と、があり、
前記第１示唆演出が実行されたときよりも前記第２示唆演出が実行されたときの方が、前記第２特別遊技が行われ易い、
ことを特徴とする遊技機。
【手続補正２】
【補正対象書類名】明細書
【補正対象項目名】０００７
【補正方法】変更
【補正の内容】
【０００７】
本明細書に開示される遊技機は、遊技者に有利な特別遊技を行う特別遊技実行手段と、所定の音声出力手段および所定の表示手段を含む演出手段を用いて所定の演出を実行する演出実行手段と、を備え、前記特別遊技実行手段は、前記特別遊技として、第１特別遊技を行うときと、前記第１特別遊技よりも遊技者に有利な第２特別遊技を行うときと、があり、前記演出実行手段は、前記特別遊技の実行を示唆するセリフを前記音声出力手段から出力するとともに前記セリフの文字画像を移動させて前記表示手段に表示する示唆演出を実行することがあり、前記示唆演出には、第１のセリフを前記音声出力手段から出力するとともに前記第１のセリフの文字画像を前記表示手段に表示する第１示唆演出と、前記第１のセリフとは異なる第２のセリフを前記音声出力手段から出力するとともに前記第２のセリフの文字画像を前記表示手段に表示する第２示唆演出と、があり、前記第１示唆演出が実行されたときよりも前記第２示唆演出が実行されたときの方が、前記第２特別遊技が行われ易い、ことを特徴としている。
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に形成された入球領域と、
前記入球領域のうちの始動領域に遊技球が入球したことに基づいて、遊技者にとって有利な特別遊技状態へ移行させるか否かを判定する判定手段と、
前記始動領域に遊技球が入球したことに基づいて識別情報の変動表示を開始し、変動時間の経過に伴って前記変動表示を停止して前記判定の結果を導出する図柄変動ゲームを実行する図柄変動ゲーム実行手段と、
前記判定における有利度合いが異なる複数段階の設定値からいずれかの設定値を設定するための設定操作手段と、
前記設定操作手段により設定された設定値に係る情報を示唆する示唆演出を実行する示唆演出実行手段と、
を備え、
前記示唆演出実行手段は、前記始動領域に遊技球が入球したことに基づいて前記示唆演出を実行可能であって、当該入球に基づく前記図柄変動ゲームが行われているときに前記示唆演出を実行可能である、
ことを特徴とする遊技機。
【請求項２】
第１の変動パターンと、前記第１の変動パターンよりも変動時間が短い第２の変動パターンと、を含む複数の変動パターンからいずれかの変動パターンを決定する変動パターン決定手段と、
をさらに備え、
前記示唆演出実行手段は、前記第２の変動パターンが決定された場合、前記示唆演出を実行しない、ことを特徴とする請求項１に記載の遊技機。
【請求項３】
前記示唆演出実行手段は、前記特別遊技状態において入球可能な入球領域であって前記入球領域のうちの大入賞領域に遊技球が入球したことに基づいて前記示唆演出を実行可能である、
ことを特徴とする請求項１または請求項２に記載の遊技機。
【手続補正２】
【補正対象書類名】明細書
【補正対象項目名】０００６
【補正方法】変更
【補正の内容】
【０００６】
（１）本発明に係る遊技機は、遊技球が流下可能な遊技領域に形成された入球領域と、前記入球領域のうちの始動領域に遊技球が入球したことに基づいて、遊技者にとって有利な特別遊技状態へ移行させるか否かを判定する判定手段と、前記始動領域に遊技球が入球したことに基づいて識別情報の変動表示を開始し、変動時間の経過に伴って前記変動表示を停止して前記判定の結果を導出する図柄変動ゲームを実行する図柄変動ゲーム実行手段と、前記判定における有利度合いが異なる複数段階の設定値からいずれかの設定値を設定するための設定操作手段と、前記設定操作手段により設定された設定値に係る情報を示唆する示唆演出を実行する示唆演出実行手段と、を備え、前記示唆演出実行手段は、前記始動領域に遊技球が入球したことに基づいて前記示唆演出を実行可能であって、当該入球に基づく前記図柄変動ゲームが行われているときに前記示唆演出を実行可能である、ことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
（２）上記（１）の遊技機において、第１の変動パターンと、前記第１の変動パターンよりも変動時間が短い第２の変動パターンと、を含む複数の変動パターンからいずれかの変動パターンを決定する変動パターン決定手段と、をさらに備え、前記示唆演出実行手段は、前記第２の変動パターンが決定された場合、前記示唆演出を実行しない、ことを特徴とする。
【手続補正５】
【補正対象書類名】明細書
【補正対象項目名】０００９
【補正方法】変更
【補正の内容】
【０００９】
（３）上記（１）または（２）の遊技機において、前記示唆演出実行手段は、前記特別遊技状態において入球可能な入球領域であって前記入球領域のうちの大入賞領域に遊技球が入球したことに基づいて前記示唆演出を実行可能である、ことを特徴とする。
【手続補正６】
【補正対象書類名】明細書
【補正対象項目名】００１０
【補正方法】削除
【補正の内容】
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に形成された始動口と、
前記始動口に遊技球が入球したことに基づいて、遊技者にとって有利な特別遊技状態へ移行させるか否かを判定する判定手段と、
前記始動口に遊技球が入球したことに基づいて識別情報の変動表示を開始し、変動時間の経過に伴って前記変動表示を停止して前記判定の結果を導出する識別情報表示手段と、
前記変動表示が行われていない待機状態を制御する待機状態制御手段と、
前記判定における有利度合いが異なる複数段階の設定値からいずれかの設定値を設定するための設定操作手段と、
前記設定操作手段により設定された設定値に係る情報を示唆する示唆演出を実行する示唆演出実行手段と、
を備え、
前記示唆演出実行手段は、前記待機状態において前記始動口に遊技球が入球したことに基づく識別情報の変動表示を開始するときにおいて前記示唆演出を実行可能である、
ことを特徴とする遊技機。
【請求項２】
第１の変動パターンと、前記第１の変動パターンよりも変動時間が短い第２の変動パターンと、を含む複数の変動パターンからいずれかの変動パターンを決定する変動パターン決定手段と、
をさらに備え、
前記示唆演出実行手段は、前記第２の変動パターンが決定された場合、前記示唆演出を実行しない、ことを特徴とする請求項１に記載の遊技機。
【手続補正２】
【補正対象書類名】明細書
【補正対象項目名】０００６
【補正方法】変更
【補正の内容】
【０００６】
（１）本発明に係る遊技機は、遊技球が流下可能な遊技領域に形成された始動口と、前記始動口に遊技球が入球したことに基づいて、遊技者にとって有利な特別遊技状態へ移行させるか否かを判定する判定手段と、前記始動口に遊技球が入球したことに基づいて識別情報の変動表示を開始し、変動時間の経過に伴って前記変動表示を停止して前記判定の結果を導出する識別情報表示手段と、前記変動表示が行われていない待機状態を制御する待機状態制御手段と、前記判定における有利度合いが異なる複数段階の設定値からいずれかの設定値を設定するための設定操作手段と、前記設定操作手段により設定された設定値に係る情報を示唆する示唆演出を実行する示唆演出実行手段と、を備え、前記示唆演出実行手段は、前記待機状態において前記始動口に遊技球が入球したことに基づく識別情報の変動表示を開始するときにおいて前記示唆演出を実行可能である、ことを特徴とする。
【手続補正３】
【補正対象書類名】明細書
【補正対象項目名】０００７
【補正方法】変更
【補正の内容】
【０００７】
（２）上記（１）の遊技機において、第１の変動パターンと、前記第１の変動パターンよりも変動時間が短い第２の変動パターンと、を含む複数の変動パターンからいずれかの変動パターンを決定する変動パターン決定手段と、をさらに備え、前記示唆演出実行手段は、前記第２の変動パターンが決定された場合、前記示唆演出を実行しない、ことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に形成された始動口と、
前記始動口に遊技球が入球したことに基づいて、遊技者にとって有利な特別遊技状態へ移行させるか否かを判定する判定手段と、
前記始動口に遊技球が入球したことに基づいて識別情報の変動表示を開始し、変動時間の経過に伴って前記変動表示を停止して前記判定の結果を導出する識別情報表示手段と、
前記判定における有利度合いが異なる複数段階の設定値からいずれかの設定値を設定するための設定操作手段と、
前記設定操作手段により設定された設定値に係る情報を示唆する示唆演出を実行する示唆演出実行手段と、
を備え、
前記示唆演出実行手段は、前記識別情報の変動表示の停止中において前記示唆演出を実行可能である、
ことを特徴とする遊技機。
【請求項２】
前記示唆演出は、前記識別情報の変動表示の停止中の停止態様により実行可能である、
ことを特徴とする請求項１に記載の遊技機。
【請求項３】
前記示唆演出は、前記識別情報の変動表示の停止中に出力される特定音により実行可能である、
ことを特徴とする請求項１または請求項２に記載の遊技機。
【請求項４】
前記示唆演出実行手段は、前記識別情報の変動表示を開始したときにおいても前記示唆演出を実行可能である、
ことを特徴とする請求項１から請求項３のいずれか一項に記載の遊技機。
【手続補正２】
【補正対象書類名】明細書
【補正対象項目名】０００６
【補正方法】変更
【補正の内容】
【０００６】
（１）本発明に係る遊技機は、遊技球が流下可能な遊技領域に形成された始動口と、前記始動口に遊技球が入球したことに基づいて、遊技者にとって有利な特別遊技状態へ移行させるか否かを判定する判定手段と、前記始動口に遊技球が入球したことに基づいて識別情報の変動表示を開始し、変動時間の経過に伴って前記変動表示を停止して前記判定の結果を導出する識別情報表示手段と、前記判定における有利度合いが異なる複数段階の設定値からいずれかの設定値を設定するための設定操作手段と、前記設定操作手段により設定された設定値に係る情報を示唆する示唆演出を実行する示唆演出実行手段と、を備え、前記示唆演出実行手段は、前記識別情報の変動表示の停止中において前記示唆演出を実行可能である、ことを特徴とする。
【手続補正３】
【補正対象書類名】明細書
【補正対象項目名】０００７
【補正方法】変更
【補正の内容】
【０００７】
（２）上記（１）の遊技機において、前記示唆演出は、前記識別情報の変動表示の停止中の停止態様により実行可能である、ことを特徴とする。
【手続補正４】
【補正対象書類名】明細書
【補正対象項目名】０００８
【補正方法】変更
【補正の内容】
【０００８】
（３）上記（１）または（２）の遊技機において、前記示唆演出は、前記識別情報の変動表示の停止中に出力される特定音により実行可能である、ことを特徴とする。
【手続補正５】
【補正対象書類名】明細書
【補正対象項目名】０００９
【補正方法】変更
【補正の内容】
【０００９】
（４）上記（１）から（３）のいずれか一の遊技機において、前記示唆演出実行手段は、前記識別情報の変動表示を開始したときにおいても前記示唆演出を実行可能である、ことを特徴とする。
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
所定の遊技が可能な遊技領域を備えた遊技機であって、
前記遊技領域の外周側に位置し、上下方向および左右方向に複数配置された発光体と、
遊技者が前記発光体に接触できないように設けられたカバー体と、を備え、
前記発光体は、所定位置に配置された第１発光体を含み、
前記カバー体は、前記遊技領域側である内側部と、該内側部とは反対側である外側部とを有し、
前記カバー体に、第１視認部と、前記第１視認部とは異なる第２視認部とが設けられ、
前記第１視認部は、前記第１発光体の光を遊技者が視認可能とされ、
前記第２視認部は、前記カバー体の外側部に設けられ、該外側部から非点灯状態の前記第１発光体を視認可能とされた
遊技機。
【手続補正２】
【補正対象書類名】明細書
【補正対象項目名】０００５
【補正方法】変更
【補正の内容】
【０００５】
本発明に係る遊技機は、所定の遊技が可能な遊技領域を備えた遊技機であって、前記遊技領域の外周側に位置し、上下方向および左右方向に複数配置された発光体と、遊技者が前記発光体に接触できないように設けられたカバー体と、を備え、前記発光体は、所定位置に配置された第１発光体を含み、前記カバー体は、前記遊技領域側である内側部と、該内側部とは反対側である外側部とを有し、前記カバー体に、第１視認部と、前記第１視認部とは異なる第２視認部とが設けられ、前記第１視認部は、前記第１発光体の光を遊技者が視認可能とされ、前記第２視認部は、前記カバー体の外側部に設けられ、該外側部から非点灯状態の前記第１発光体を視認可能とされたものである。
これにより、発光体の不具合を発見しやすくメンテナンス性のよい遊技機を提供することができる。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
組成物を作成するための方法であって、
ａ）哺乳動物組織検体から少なくとも一の細胞微細凝集塊を調製するステップと、ここで、前記細胞微細凝集塊は、真皮セクション、表皮セクション、及び毛包セクションを含み、前記毛包セクションは、ＬＧＲを発現する生幹細胞を含み、前記真皮セクション、前記表皮セクション、及び前記毛包セクションの間の天然の組織は維持されている、
ｂ）前記哺乳動物組織検体の皮下組織細胞成分及び皮下の脂肪細胞成分を加工処理して、間葉由来細胞集団を提供するステップと、
ｃ）前記間葉由来細胞集団を、前記少なくとも一の細胞微細凝集塊に加え、組成物を提供するステップと、ここで、前記組成物は、移植を必要とする対象における損傷組織部位に移植されたとき、表皮、真皮、及び付属物を含む機能性極性組織をアセンブルすることができる、
を含む、方法。
【請求項２】
組成物を送達基材に加えるステップをさらに含む、請求項１に記載の方法。
【請求項３】
ＬＧＬを発現する生幹細胞は、ＬＧＲ４発現細胞、ＬＧＲ５発現細胞、ＬＧＲ６発現細胞、又はその組み合わせから選択される、請求項１に記載の方法。
【請求項４】
増殖因子、遊走性被検物、動員性被検物、ＬＧＲ特異的結合要素、又はその組み合わせから選択される一又は複数の補給物を、組成物に補給するステップをさらに含む、請求項１に記載の方法。
【請求項５】
一又は複数の補給物が、リガンドファミリー、Ｒ−スポンジン、上皮由来増殖因子（ＥＤＧＦ）、血小板由来増殖因子（ＰＤＧＦ）、Ｗｎｔタンパク質、血管内皮増殖因子（ＶＥＧＦ）、抗菌ペプチド、又はその組み合わせから選択される、請求項４に記載の方法。
【請求項６】
角化培地を組成物に加えるステップをさらに含む、請求項１に記載の方法。
【請求項７】
組成物を冷凍保存するステップをさらに含む、請求項１〜６のいずれか一項に記載の方法。
【請求項８】
増強因子又は被検物を組成物に加えるステップをさらに含む、請求項１に記載の方法。
【請求項９】
間葉由来細胞集団は、脂肪細胞集団、間質血管細胞群、又はその組み合わせから選択される、請求項１に記載の方法。
【請求項１０】
請求項１〜９のいずれか一項に記載の方法により作成された組成物。
【請求項１１】
ａ）請求項１〜９のいずれか一項に記載の方法により作成された組成物と、
ｂ）抗生物質及び抗かび薬から選択される少なくとも一の薬剤と、
ｃ）フィブリノゲンと
を含む、組成物。
【請求項１２】
フィブリノゲンが、ヒト由来であり、組成物が、ペニシリン、ストレプトマイシン、又はその組み合わせ、及びアムホテリシンＢを含む、請求項１１に記載の組成物。
【請求項１３】
組成物を作成するための方法であって、
ａ）哺乳動物組織検体の真皮及び表皮から、脂肪要素及び皮下要素の少なくとも一部を分離して、部分的に加工処理された哺乳動物組織検体を提供するステップと、
ｂ）前記部分的に加工処理された哺乳動物組織検体をセクション化して、組成物を提供するステップと、ここで、前記組成物は、真皮セクション、表皮セクション、及び毛包セクションを含む細胞微細凝集塊を含み、前記毛包セクションは、ＬＧＲを発現する生幹細胞を含み、前記真皮セクション、前記表皮セクション、及び前記毛包セクションの間の天然の組織は維持されており、
前記組成物は、移植を必要とする対象における損傷組織部位に移植されるとき、表皮、真皮、及び付属物を含む機能性極性組織をアセンブルすることができる、
を含む、方法。
【請求項１４】
組成物を送達基材に加えるステップをさらに含む、請求項１３に記載の方法。
【請求項１５】
送達基材が、スカフォールディング、コラーゲン、マトリックス、粒子、細胞、繊維、コラーゲン、又はその組み合わせから選択される、請求項１４に記載の方法。
【請求項１６】
増強因子又は被検物を組成物に加えるステップをさらに含む、請求項１３に記載の方法。
【請求項１７】
請求項１３〜１６のいずれか一項に記載の方法により作成された組成物。
【請求項１８】
ａ）請求項１３〜１６のいずれか一項に記載の方法により作成された組成物と、
ｂ）抗生物質及び抗かび薬から選択される少なくとも一の薬剤と、
ｃ）フィブリノゲンと
を含む、組成物。
【請求項１９】
フィブリノゲンが、ヒト由来であり、組成物が、ペニシリン、ストレプトマイシン、又はその組み合わせ、及びアムホテリシンＢを含む、請求項１８に記載の組成物。
【請求項２０】
送達基材が、スカフォールディング、コラーゲン、マトリックス、粒子、細胞、繊維、又はその組み合わせから選択される、請求項２に記載の方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
遊技が行われる遊技領域を有する遊技盤と、
前記遊技盤を前方から着脱可能に収容する本体枠と、
前記本体枠の前面側に対し開閉可能に支持され、遊技媒体を貯留可能な貯留領域が形成された皿ユニット部を有する扉枠と、
前記皿ユニット部に設けられ、動作可能な動作部を有し、遊技者による操作を受付可能な操作部と、を備え、
前記動作部の少なくとも一部を覆う保護部によって前記貯留領域の側壁を構成し、
前記動作部を有する前記操作部のうち遊技者による操作受付が可能な箇所が前記保護部の上端よりも上方に位置する
ことを特徴とする遊技機。
【手続補正２】
【補正対象書類名】明細書
【補正対象項目名】０００４
【補正方法】変更
【補正の内容】
【０００４】
上記した遊技機の中には、遊技球を貯留可能な貯留皿と遊技者により操作可能な操作部とが近接して取り付けられているものが多く、貯留皿の遊技球と可動体である操作部とが互いに悪影響を及ぼしかねないため、遊技興趣の低下が懸念される。
【手続補正３】
【補正対象書類名】明細書
【補正対象項目名】０００６
【補正方法】変更
【補正の内容】
【０００６】
本発明の代表的な遊技機の一形態では、遊技が行われる遊技領域を有する遊技盤と、前記遊技盤を前方から着脱可能に収容する本体枠と、前記本体枠の前面側に対し開閉可能に支持され、遊技媒体を貯留可能な貯留領域が形成された皿ユニット部を有する扉枠と、前記皿ユニット部に設けられ、動作可能な動作部を有し、遊技者による操作を受付可能な操作部と、を備え、前記動作部の少なくとも一部を覆う保護部によって前記貯留領域の側壁を構成し、前記動作部を有する前記操作部のうち遊技者による操作受付が可能な箇所が前記保護部の上端よりも上方に位置することを特徴とする。
【手続補正４】
【補正対象書類名】明細書
【補正対象項目名】０００７
【補正方法】削除
【補正の内容】
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
第１ゲームを実行する実行手段と、
前記第１ゲームの状況が第１条件を満たすか否かを判定する第１判定手段と、
前記第１判定手段により前記第１条件を満たすと判定された場合に、前記第１ゲームにおけるユーザに関する登録情報を記憶する記憶装置から取得された前記ユーザの登録情報に基づいて前記第１ゲームとは異なる複数のゲームの中から１又は複数の第２ゲームを選択する選択手段と、
前記選択手段により選択された前記第２ゲームにおける前記ユーザのユーザ情報を取得する情報取得手段と、
前記情報取得手段により取得した前記第２ゲームにおけるユーザ情報を前記ユーザに通知する通知手段と、
を備えた、ゲーム制御装置。